(57)【要約】【課題】適切な温度の冷風により確実に毛髪を固定できて、且つ確実に毛髪の過乾燥を防ぎ毛髪の艶出しが行えるヘアドライヤを提供する。【解決手段】ハウジング２内部に冷風用流路３及び温風用流路４を設ける。温風用流路４の途中にヒータ５を設ける。冷風用流路３の下流側端部の開口をハウジング２の外部に向けて開口する冷風吹出口６とする。温風用流路４の下流側端部の開口を前記冷風吹出口６に隣接し且つ冷風吹出口６と略同一方向に開口する温風吹出口７とする。前記冷風用流路３及び温風用流路４よりも上流側に、ハウジング２外部に開口する外気吸込口８から外気を吸い込んで冷風用流路３及び温風用流路４の夫々に送り、且つ冷風吹出口６及び温風吹出口７の夫々から冷風及び温風を同時に吹き出すファン９を設ける。該ファン９により温風と同時に吹き出される冷風の風量を全体風量の２０％以上に設定する。【選択図】        図１
2004357937.tif 000002
【特許請求の範囲】
【請求項１】
ハウジング内部に冷風用流路及び温風用流路を設け、温風用流路の途中にヒータを設け、冷風用流路の下流側端部の開口をハウジングの外部に向けて開口する冷風吹出口とし、温風用流路の下流側端部の開口を前記冷風吹出口に隣接し且つ冷風吹出口と略同一方向に開口する温風吹出口とし、前記冷風用流路及び温風用流路よりも上流側に、ハウジング外部に開口する外気吸込口から外気を吸い込んで冷風用流路及び温風用流路の夫々に送り、且つ冷風吹出口及び温風吹出口の夫々から冷風及び温風を同時に吹き出すファンを設け、ファンにより温風と同時に吹き出される冷風の風量を全体風量の２０％以上に設定してなることを特徴とするヘアドライヤ。
【請求項２】
上記ハウジング内部に風洞部を設け、風洞部内に内筒を設け、内筒の内部を上記冷風用流路又は温風用流路のうちどちらか一方の流路とすると共に、内筒と風洞部との間に形成された空間を他方の流路とし、内筒の上流側端部の外周側面をテーパ状に形成してなることを特徴とする請求項１記載のヘアドライヤ。
【請求項３】
上記冷風吹出口及び温風吹出口の夫々を被覆する格子部を設け、冷風吹出口を被覆する格子部の各孔の大きさを、温風吹出口を被覆する格子部の各孔の大きさよりも大きく形成してなることを特徴とする請求項１又は請求項２記載のヘアドライヤ。
【請求項４】
上記ハウジング内部に風洞部を設け、風洞部内に内筒を設け、内筒の内部を上記冷風用流路又は温風用流路のうちどちらか一方の流路とすると共に、内筒と風洞部との間に形成された空間を他方の流路とし、内筒よりも上流側にファンを内装した整流筒を設け、整流筒の下流側端部を風洞部側に向けて末広がり形状に形成し、整流筒の下流側端部と内筒の上流側端部との間に整流筒と前記他方の流路とを連通させる隙間を形成してなることを特徴とする請求項１〜３のいずれかに記載のヘアドライヤ。
【請求項５】
上記ハウジングに冷風吹出口より吹き出される冷風にマイナスイオンを放出するイオン放出部を設けてなることを特徴とする請求項１〜４のいずれかに記載のヘアドライヤ。
【発明の詳細な説明】
【０００１】
【発明の属する技術分野】
本発明は、温風と冷風とを同時に送風できるヘアドライヤに関するものである。
【０００２】
【従来の技術】
従来のヘアドライヤは温風を毛髪に当てることで、寝癖を伸ばしたり、毛髪をカールさせたりする癖付けに利用されている。ところでヘアドライヤによって発生させた温風のみを毛髪に当てた場合、温風の熱によって水素結合を切断し毛髪を一時的に癖付けすることは可能ではあるが、このように癖付けした状態の毛髪を十分に固定するには、温風により熱した毛髪に冷風を当てて再び水素結合させることが必要である。また温風だけを毛髪に当てた場合には毛髪が過乾燥となり、毛髪がぱさついてまとまりのない状態となってしまい、光が当たった時に乱反射して艶があるように見えず、この点からも毛髪に冷風を当てる必要がある。上記従来のヘアドライヤを用いて例えばスイッチを温風から冷風に切り換えて温風で熱した髪に冷風を当てることは可能ではあるが、温風を作るヒータの予熱等によって冷風が速やかに吹き出されず時間がかかってしまい、またスイッチによる温冷風の切換操作が面倒である。
【０００３】
上記問題を改善するために近年では図４に示すような温風と冷風とを同時に吹き出すヘアドライヤ１が提供されている。図４に示すヘアドライヤ１のハウジング２内部には風洞部１０を設けてあり、該風洞部１０内には内筒１１を設けている。内筒１１内にはヒータ５を内装してあり、内筒１１よりも上流側にはファン９を設けている。風洞部１０の下流側端部はハウジング１外部に開口しており、ハウジング１の上流側端部には外気吸込口８を形成している。そしてこのヘアドライヤ１を使用する場合は、ファン９をモータ２２により回転駆動する。これにより外気吸込口８から外気を吸い込み、この吸い込んだ空気を内筒１１の内部と、内筒１１及び風洞部１０との間の空間との夫々に送り、そして内筒１１の下流側端部の開口から温風を吹き出すと共に、内筒１１及び風洞部１０との間の空間の下流側端部の開口から冷風を吹き出す。そしてこのように温風と冷風とを同時に吹き出したヘアドライヤ１を移動させて毛髪に温風及び冷風を交互に当てていた（例えば特許文献１）。
【０００４】
しかしながら従来のヘアドライヤや特許文献１に示すヘアドライアにおいては、全風量に対する冷風量の割合を開示したものがなかった。
【０００５】
【特許文献１】
実開昭５７−１６６８０８号公報
【０００６】
【発明が解決しようとする課題】
本発明は上記の点に鑑みてなされたものであり、その目的とするところは、冷風と温風とを同時に吹き出すことができるのは勿論のこと、加えて全風量に対する冷風量の割合を設定して、適切な温度の冷風により確実に毛髪を固定できて、且つ確実に毛髪の過乾燥を防ぐことができるヘアドライヤを提供することにある。
【０００７】
【課題を解決するための手段】
上記課題を解決するために本発明に係るヘアドライヤは、ハウジング２内部に冷風用流路３及び温風用流路４を設け、温風用流路４の途中にヒータ５を設け、冷風用流路３の下流側端部の開口をハウジング２の外部に向けて開口する冷風吹出口６とし、温風用流路４の下流側端部の開口を前記冷風吹出口６に隣接し且つ冷風吹出口６と略同一方向に開口する温風吹出口７とし、前記冷風用流路３及び温風用流路４よりも上流側に、ハウジング２外部に開口する外気吸込口８から外気を吸い込んで冷風用流路３及び温風用流路４の夫々に送り、且つ冷風吹出口６及び温風吹出口７の夫々から冷風及び温風を同時に吹き出すファン９を設け、ファン９により温風と同時に吹き出される冷風の風量を全体風量の２０％以上に設定してなることを特徴とするものである。
【０００８】
このようにファン９により温風と同時に吹き出される冷風の風量を全体風量の２０％以上に設定することで、冷風吹出口６から吹き出された冷風が温風吹出口７から吹き出される温風に混じって暖められることを抑えることができ、この温風と冷風とを同時に吹き出したヘアドライヤ１を移動させて毛髪に温風及び冷風を交互に当てることで、適切な温度の冷風によって温風により癖付けされた毛髪を確実に固定したり、確実に毛髪の過乾燥を防ぎ毛髪の艶出しを行える。
【０００９】
また請求項２は請求項１記載のヘアドライヤにおいて、上記ハウジング２内部に風洞部１０を設け、風洞部１０内に内筒１１を設け、内筒１１の内部を上記冷風用流路３又は温風用流路４のうちどちらか一方の流路とすると共に、内筒１１と風洞部１０との間に形成された空間を他方の流路とし、内筒１１の上流側端部の外周側面１１ａをテーパ状に形成してなることを特徴とするものである。
【００１０】
このように内筒１１の上流側端部の外周側面１１ａをテーパ状に形成することで、上流側から他方の流路へ空気が流入する部分での渦発生を抑制して上記他方の流路に効率良く空気を流せる構造とでき、これによってファン９で所定の風量を冷風用流路３及び温風用流路の夫々に送った場合、ファン９を大型化する等して風量を増大させずとも目的とする風量を他方の流路の吹出口から吹き出すことができ、ヘアドライヤ１の小型化を実現できる。
【００１１】
また請求項３は請求項１又は請求項２記載のヘアドライヤにおいて、上記冷風吹出口６及び温風吹出口７の夫々を被覆する格子部１２、１３を設け、冷風吹出口６を被覆する格子部１２の各孔１２ａの大きさを、温風吹出口７を被覆する格子部１３の各孔１３ａの大きさよりも大きく形成してなることを特徴とするものである。
【００１２】
このようにように冷風吹出口６を被覆する格子部１２の各孔１２ａを温風吹出口７の各孔１３ａよりも大きくすることで、各孔１３ａの小さい温風用格子部１３ａでは、ヒータ５を備えた温風用流路４へ塵やヘアピン等の小さい異物の混入を確実に抑えることができ、これにより異物の混入に伴なうショート等のヘアドライヤ１の動作不良を確実に防止でき、ヒータ５のような通電する部材が存在しない冷風用流路３を被覆する冷風用格子部１２では、冷風用格子部１２の各孔１２ａを大きくして冷風吹出口６での抵抗を少なくして効率良く空気を流せる構造とでき、ファン９等を大型化して風量を増さなくとも目的とする２０％以上の冷風を風量を冷風吹出口６から吹き出すことができ、ヘアドライヤ１を小型化できる。
【００１３】
また請求項４は請求項１〜３のいずれかに記載のヘアドライヤにおいて、上記ハウジング２内部に風洞部１０を設け、風洞部１０内に内筒１１を設け、内筒１１の内部を上記冷風用流路３又は温風用流路４のうちどちらか一方の流路とすると共に、内筒１１と風洞部１０との間に形成された空間を他方の流路とし、内筒１１よりも上流側にファン９を内装した整流筒１４を設け、整流筒１４の下流側端部を風洞部１０側に向けて末広がり形状に形成し、整流筒１４の下流側端部と内筒１１の上流側端部との間に整流筒１４と前記他方の流路とを連通させる隙間１５を形成してなることを特徴とするものである。
【００１４】
このように整流筒１４の下流側端部を風洞部１０側に向けて末広がり形状に形成しているので、整流筒１４内の空気は整流筒１４の下流側端部と内筒１１の上流側端部との間に形成した隙間１５から内筒１１と風洞部１０との間に形成された空間に流入しやすくなり、ファン９で所定の風量を冷風用流路３及び温風用流路４に送った場合、ファン９や、風洞部１０等を大型化して風量を増さなくても目的とする風量を他方の流路の吹出口から吹き出すことができ、ヘアドライヤ１の小型化を実現できる。
【００１５】
また請求項５は請求項１〜４のいずれかに記載のヘアドライヤにおいて、上記ハウジング２に冷風吹出口６より吹き出される冷風にマイナスイオンを放出するイオン放出部１６を設けてなることを特徴とするものである。
【００１６】
このようにイオン放出部１６にてマイナスイオンを冷風吹出口６より吹き出される冷風に放出することで、マイナスイオンが温風により加熱され難く蒸散せず、これによりマイナスイオンによる毛髪の艶出し効果が向上する。
【００１７】
【発明の実施の形態】
以下本発明を添付図面に示す実施形態に基づいて説明する。図１は本実施形態のヘアドライヤ１を示す側断面図、図２はヘアドライヤ１の全体斜視図である。ヘアドライヤ１は、後端部に後方に開口する外気吸込口８を有すると共に前端部に前方に開口する吐出口１７を有する略筒状のハウジング２で装置本体の外殻を構成しており、ハウジング２は下流側に行くにつれてやや径が小さくなるように形成されている。またハウジング２の後部にはハウジング２と一体的にハンドル部１８を下方に突設している。なお、図中１９は電源供給用コードである。
【００１８】
ハウジング２の内部には風洞部１０を設けている。本例ではハンドル部１８よりも前側に位置するハウジング２の内周面部を風洞部１０としている。風洞部１０の内部にはその中心線が風洞部１０の中心線上に位置して且つその下流側端部の開口が吐出口１７よりハウジング２外部に露出する円筒状の内筒１１を設けてあり、内筒１１と風洞部１０とで二重筒構造が形成されている。本例の風洞部１０は下流側に行くにつれて径が小さくなるように形成されているため、これに合わせて内筒１１も下流側に行くにつれてやや径が小さくなるように形成されている。内筒１１の下流側の端は風洞部１０の下流側の端と送風方向において略同じ位置にあり、詳しくは風洞部１０の下流側の端よりもやや上流側に凹没している。内筒１１の上流側の端は風洞部１０の上流側の端よりもやや下流側に位置しており、内筒１１の上流側端部の外周側面１１ａは内筒１１の外径が上流側に行くにつれて小さくなるようにテーパ状に形成されている。また内筒１１の内部には後述するイオン発生部に高電圧を印加する高電圧発生部２８と、ヒータ５とを設けている。
【００１９】
本例では上記内筒１１の内部を温風用流路４とし、内筒１１と風洞部１０との間に形成された空間を冷風用流路３としている。さらにはこの冷風用流路３の下流側端部である内筒１１の下流側端部の開口を温風吹出口７とし、温風用流路４の下流側端部である内筒１１と風洞部１０との間に形成された空間の下流側端部の開口を冷風吹出口６としている。つまり、温風吹出口７は正面から見て中心部に配されており、冷風吹出口６は温風吹出口７の周辺部に配され、温風吹出口７は冷風吹出口６に隣接している。
【００２０】
ハウジング２内部の後部、すなわち内筒１１よりもやや上流側には、その中心線が内筒１１の中心線の延長線上に位置し且つその上流側端部の開口１４ａが前記外気吸込口８に向かって開口する整流筒１４を設けている。整流筒１４の内径及び外径はその長手方向略全長に亘って同じであり、その外径は風洞部１０の内径（詳しくは風洞部１０の上流側端部の内径）よりも小さく、その内径は内筒１１の外径（詳しくは内筒１１の上流側端部の外径）と略同じである。また整流筒１４の下流側端部は風洞部１０側に向けて末広がり形状に形成している。この整流筒１４の下流側端部である末広がり形状部分２１は下流側に行くにつれて風洞部１０側に位置するように略半円の円弧状に屈曲しており、その先端部は風洞部１０の上流側端部の内周面に当接している。そしてこの整流筒１４の下流側端部である末広がり形状部分２１と内筒１１の上流側端部との間には整流筒１４内と冷風用流路３とを連通させる隙間１５を形成している。
【００２１】
上記整流筒１４にはプロペラファンのような軸流型のファン９を内装している。このファン９はファン９の軸部の風裏側に配置したモータ２２により回転駆動するものであって、同心円上に均一に風を流しやすい特徴を有している。該ファン９の軸芯は内筒１１の中心線の延長線上にあり、またファン９の外径は風洞部１０の内径よりも小さく、また内筒１１の内径（詳しくは内筒１１の上流側端部の内径）と略同じである。
【００２２】
上記ハウジング１の吐出口１７の内周面には図３（ａ）に示すような冷風吹出口６及び温風吹出口７を被覆する格子状部材３３を設けている。格子状部材３３は図３（ａ）に示すように吐出口６と略同一の円形状であり、その上流側の端面の一部は内筒１１の下流側端面に近接している。格子状部材３３は、温風吹出口７を被覆する中心部の温風用格子部１３と、冷風吹出口６を被覆する周辺部の冷風用格子部１２とからなり、この冷風用格子部１２及び温風用格子部１３は異物が各流路内に混入することを防止するためのものである。そしてこの冷風用格子部１２の各孔１２ａの大きさは温風用格子部１３の各孔１３ａの大きさよりも大きく形成されている。ここで図３（ｂ）に示すように冷風用格子部１２′と温風用格子部１３′の各孔１２ａ′、１３ａ′の大きさを同じにするのではなく、図３（ａ）に示すように冷風用格子部１２の各孔１２ａを温風用格子部１３の各孔１３ａよりも大きくすることで、各孔１３ａの小さい温風用格子部１３ａでは、ヒータ５や高電圧発生部２８を備えた温風用流路４へ塵やヘアピン等の小さい異物の混入を確実に抑えることができ、これにより異物の混入によるショート等のヘアドライヤ１の動作不良を確実に防止でき、且つヒータ５や高電圧発生部２８の通電するものが存在しない冷風用流路３を被覆する冷風用格子部１２では、冷風用格子部１２の各孔１２ａを大きくして冷風吹出口６での抵抗を少なくして効率良く空気を流せる構造とでき、これによりヘアドライヤ１を小型化できる。
。
【００２３】
またハウジング１には図２に示すイオン放出部１６を設けている。イオン放出部１６は、ハウジング１に設けたイオン用流路と、イオン用流路の途中に設けたマイナスイオンを発生するイオン発生部と、該イオン発生部により発生したイオンを吹き出すイオン用流路の下流側端部に形成されたイオン吹出口２９とからなる。詳述すると、ハウジング１外周面の左右方向における両側には略半筒状部３２を形成してあり、略半筒状部３２の内部がイオン用流路となっている。略半筒状部３２の前端開口は前述した冷風吹出口６側に向かって開口しており、この略半筒状部３２の前端開口をイオン吹出口２９としている。イオン用流路の上流側端部は冷風用流路３の途中に連通接続してある。すなわち本例のイオン放出部１６は、冷風用流路３を流れる冷風の一部によりイオン発生部にて発生したマイナスイオンをイオン吹出口２９より吹き出し、これにより冷風吹出口６より吹き出される冷風に向かってマイナスイオンを放出するものである。なおイオン放出部１６としては上記冷風により吹き出されるものに限定されるものではなく、例えばイオン用流路を冷風用流路３に連通させず、イオン発生部で発生したマイナスイオンを冷風吹出口６から吹き出される冷風により誘引しても良いものとする。
【００２４】
またハウジング２の前端部の外周面には、内側ノズル部２３と、外側ノズル部２４とで主体が構成された二重筒構造のノズル２５を取り付けている。
【００２５】
そして上記ファン９をモータ２２により駆動して冷風吹出口６及び温風吹出口７の夫々から冷風及び温風を同時に吹き出した際には、吹き出される冷風の風量が、温風と冷風との風量を合わせた全体風量の２０％以上となるように設定している。冷風の風量を２０％以上と設定するには、外気吸込口８、風洞部１０、内筒１１、ノズル２５、の径や形状、配置、ファン９の能力、流路抵抗等を設定することによって行われており、本例では冷風の風量を全体風量の２０％以上と設定するに当たって、上記冷風吹出口６からの吐出面積を全体の吐出面積の３０％、温風吹出口７からの吐出面積を全体吐出面積の７０％としている。上記のように冷風風量を２０％以上としたのは、仮に温風と同時に冷風を吹き出す際に、冷風の風量が全風量に対して２０％よりも少ない場合には、冷風と温風とが混じって冷風が暖められてしまうことがあり、これにより冷風によって毛髪を固定できなかったり、また冷風によって毛髪の過乾燥を防ぐことができず毛髪が艶があるように見えなかったり、さらにはこのような過乾燥状態のぱさついた毛髪にイオンを当てたとしても艶が出難いという問題があるからである。
【００２６】
上記ヘアドライヤ１にて吐出口１７から冷風及び温風を同時に吹き出す場合は、図２に示すハンドル部１８に設けた電源スイッチ２６や、モード切換スイッチ２７等の各種操作スイッチからなるハウジング２内の制御部に電気接続された操作部を使用者が操作する。操作部を操作することで制御部は上述したヒータ５、モータ２２を駆動する。モータ２２の駆動によりファン９が回転すると、外気吸込口８から整流筒１４内にハウジング２外部の外気を吸い込み、整流筒１４内に吸い込んだ空気を、冷風用流路３及び温風用流路４の夫々に送り、冷風用流路３ではヒータ５による加熱を行わずそのまま冷風吹出口６から冷風用格子部１２を介して吹き出し、他方温風用流路４では該温風用流路４内のヒータ５により加熱された空気を温風吹出口７から温風用格子部１３を介して前記冷風の吹き出しと同時に吹き出す。そしてこの冷風吹出口６及び温風吹出口部７の夫々から吹き出された冷風及び温風はノズル２５を介して、ハウジング２の前方に吹き出される。
【００２７】
この時、整流筒１４の下流側端部は風洞部１０側に向けて末広がり形状に形成してあるため、整流筒１４内の空気は整流筒１４の下流側端部と内筒１１の上流側端部との間に形成した隙間１５から内筒１１と風洞部１０との間に形成された空間（冷風用流路３）に流入しやすくでき、これによりファン９で所定の風量を冷風用流路３及び温風用流路４に送った場合、ファン９や、整流筒１４、風洞部１０等を大型化して風量を増さなくても目的とする風量を冷風用流路３に送って吹き出すことができ、ヘアドライヤ１を小型化できる。また、内筒１１の上流側端部の外周側面１１ａをテーパ状に形成してあるため、整流筒１４から冷風用流路３へ空気が流入する部分での渦発生を抑制して冷風用流路３側に効率良く空気を流せる構造とでき、これによってより一層ヘアドライヤ１を小型化できる。
【００２８】
ところで温風用流路３はヒータ５や高電圧発生部２８を内装しており流路面積を小さくすることが制限されているため、温風用流路４の流路面積は大きく風量を十分確保できるのだが、冷風用流路３の流路面積を大きくするとヘアドライヤ１が大型化してしまい、また逆に冷風用流路３の流路面積を小さくすると冷風吹出口６から吐出される冷風の風量を確保できないという問題が生じてしまう。そこで本例では上記のように整流筒１４の下流側端部を末広がり形状としたり、内筒１１の上流側端部の外側面をテーパ形状にして、温風用流路４ではなく冷風用流路３の空気を流れやすいようにすることで、風洞部１０の内径（すなわち冷風用流路３の流路面積）を小さくしてより一層ヘアドライヤ１を小型化でき、しかも冷風用流路３の流路面積を小さくしたにも関わらず冷風用流路３の目的とする風量を確保できる。
【００２９】
このように吹き出された冷風の風量は前述のように全体風量の２０％以上に設定してあるため、冷風が温風に混じって暖められることを抑えることができ、この温風と冷風とを同時に吹き出したヘアドライヤ１を移動させて毛髪に温風及び冷風を交互に当てることで、適切な温度の冷風により毛髪を確実に固定でき、また毛髪の過乾燥を確実に防いで毛髪の艶を出すことができ、しかもこれにより後述するマイナスイオンによる毛髪の艶出し効果も向上する。
【００３０】
また本実施形態では操作部を操作することで、上記冷風及び温風を同時に吹き出している時に、前述したイオン放出部１６により、上記の温風及び冷風の吹き出しと同時にマイナスイオンをイオン吹出口２９から冷風吹出口６より吹き出される冷風に向かって放出させることができるようになっている。ここでマイナスイオンを温風に向かって放出するのではなく、冷風に向かって放出しているのは以下の理由による。すなわち温風に向かってマイナスイオンを放出した場合、マイナスイオンに含まれる水分子が加熱されてしまい、毛髪に当ててもすぐに蒸散してしまい、結果、マイナスイオンによる毛髪の艶出し効果が小さいという問題が生じるのだが、本例ではイオン放出部１６にてマイナスイオンを冷風吹出口６より吹き出される冷風に放出しているため、マイナスイオンが温風により加熱され難くて蒸散せず、艶出し効果が向上するのである。
【００３１】
なお、本実施形態では、内筒１１の内部を温風用流路４、内筒１１と風洞部１０との間に形成された空間を冷風用流路３、内筒１１の下流側端部の開口を温風吹出口７、内筒１１と風洞部１０とよりなる冷風用流路３の下流側端部の開口を冷風吹出口６としたが、これに限定されるものではなく、例えば、ヒータ５を内筒１１と風洞部１０との間に形成された空間に設け、内筒１１の内部を冷風用流路３、内筒１１と風洞部１０との間に形成された空間を温風用流路４、内筒１１の下流側端部の開口を冷風吹出口６、内筒１１と風洞部１０とよりなる温風用流路部４の下流側端部の開口を温風吹出口７としても良いものとする。
【００３２】
また上記ヘアドライヤ１に前述した、冷風及び温風を同時に吹き出すモードや、冷風及び温風に加えてマイナスイオンを放出するモード、に加えて、ヒータ５のＯＮ／ＯＦＦ、モータ２２のＯＮ／ＯＦＦ、イオン発生部のＯＮ／ＯＦＦを自動的に設定された値に切り換えるその他のモードを有していても良く、すなわち上記ヘアドライヤ１は少なくとも上記の温冷風を同時に吹き出しモード又は冷風及び温風に加えてマイナスイオンを噴出するモードを有していれば良いものとする。
【００３３】
【発明の効果】
以上説明したように本発明では適切な温度の冷風により確実に毛髪を固定できて、且つ確実に毛髪の過乾燥を防いで毛髪の艶出しを行える。
【図面の簡単な説明】
【図１】本発明の実施形態の一例を示すヘアドライヤの側断面図である。
【図２】同上の全体斜視図である。
【図３】（ａ）は同上の格子状部材の正面図であり、（ｂ）は（ａ）とは異なる格子状部材の正面図である。
【図４】従来のヘアドライヤの一例を示す側断面図である。
【符号の説明】
１  ヘアドライヤ
２  ハウジング
３  冷風用流路
４  温風用流路
５  ヒータ
６  冷風吹出口
７  温風吹出口
８  外気吸込口
９  ファン
１０  風洞部
１１  内筒
１１ａ  内筒の上流側端部の外周側面
１２  冷風用格子部
１２ａ  孔
１３  温風用格子部
１３ａ  孔
１４  整流筒
１５  隙間
１６  イオン放出部
【図１】
2004357937.tif 000003
【図２】
2004357937.tif 000004
【図３】
2004357937.tif 000005
【図４】
2004357937.tif 000006